(57)【要約】【課題】トナー等の吐き出しを十分に行うことができるループブラシを備えたクリーニング装置を提供すること。【解決手段】クリーニング装置６は，感光体ドラム２上のトナー等を掻き取るクリーニングブレード６２と，感光体ドラム２上のトナー等をクリーニングブレード６２による除去に先立って除去するクリーニングブラシ６３と，クリーニングブラシ６３内に蓄積されたトナー等を弾き出す直毛ブラシ６６とを有している。クリーニングブラシ６３は，回転可能に配設された回転ブラシであり，ブラシ毛がループ状に植毛されている。クリーニングブラシ６３には，ハウジング６１に固定配置された直毛ブラシ６６が当接されており，クリーニングブラシ６３によって回収されたトナー等が直毛ブラシ６６によって吐き出される構成になっている。【選択図】            図２
2008262015.tif 000002
【特許請求の範囲】
【請求項１】
回転可能に設置され，ブラシ繊維がループ状に植設されたブラシ回転体と，前記ブラシ回転体と接触し，前記ブラシ回転体の付着物を除去する付着物除去部材とを有するクリーニング装置において，
前記付着物除去部材は，ブラシ繊維が直毛状に植設された直毛ブラシであることを特徴とするクリーニング装置。
【請求項２】
請求項１に記載するクリーニング装置において，
前記付着物除去部材は，固定設置されていることを特徴とするクリーニング装置。
【請求項３】
請求項１に記載するクリーニング装置において，
前記付着物除去部材は，回転可能に設置されていることを特徴とするクリーニング装置。
【請求項４】
請求項３に記載するクリーニング装置において，
前記付着物除去部材は，所定のタイミングごとに所定の距離だけ回転することを特徴とするクリーニング装置。
【請求項５】
請求項１から請求項４のいずれか１つに記載するクリーニング装置において，
前記付着物除去部材は，振動可能に配置されていることを特徴とするクリーニング装置。
【発明の詳細な説明】
【技術分野】
【０００１】
本発明は，電子写真方式の画像形成装置に利用されるクリーニング装置に関する。さらに詳細には，ブラシ繊維がループ状に植設されたブラシ回転体を備え，さらにそのブラシ回転体のブラシ毛に付着した付着物を除去する付着物除去部材を備えたクリーニング装置に関するものである。
【背景技術】
【０００２】
電子写真方式の画像形成装置では，像担持体（例えば，感光体ドラム）上にトナー像を形成し，そのトナー像を転写体（例えば，普通紙）に転写している。このトナー像の転写では，トナーの鏡像力や転写電界のばらつき等が原因となり，一部のトナーが像担持体上に残留する。そのため，転写領域の下流にクリーニング部材を設置し，このクリーニング部材によって像担持体上のトナーを除去している。
【０００３】
クリーニング部材としては，ポリプロピレン等の樹脂繊維を基布に植毛し，当該基布をシャフト部材に巻回し，回転自在に設けられたクリーニングブラシがある。クリーニングブラシは，ブラシ毛を像担持体の表面に当接させ，回転しながら像担持体の表面に付着したトナーを回収する。また，画像形成装置内でブラシ回転体を利用するものとしては，像担持体上に潤滑剤を塗布する潤滑剤塗布ブラシも知られている。
【０００４】
クリーニングブラシでは，トナーや潤滑剤等がブラシ毛に付着し，本来の柔軟性を失って硬化する，所謂トナーロール化を引き起こす。トナーロール化が進行すると，クリーニング性の低下を招く。そのため，クリーニングブラシ内に溜め込んだトナー等を吐き出す必要がある。
【０００５】
従来から，クリーニングブラシでは，付着物を吐き出す付着物除去機構として，平板状のフリッカーをブラシに当て，ブラシ毛を弾くことで付着物を吐き出すことが行われている。また，フリッカーとして単純に平板部材を接触させるだけではなく，その形状や配置を特定し，より効率良く付着物を吐き出す工夫がなされている。例えば，特許文献１に開示されたクリーニング装置では，櫛歯形状の切欠きを有するフリッカー板を複数枚クリーニングブラシに押し当てる。さらには櫛歯の切欠きが互いに重ならないように所定の間隔をもって積層方向に対向配置している。また，特許文献２に開示されたクリーニング装置では，フリッカーの形状が，感光体ドラムの回転方向とは逆向きの多数の山形状をなしている。いずれもフリッカーの形状ないし配置を工夫することで吐出効果が高まるとしている。
【０００６】
また，ブラシとしては，図１１に示すような直毛ブラシを利用している。直毛ブラシは，ブラシ毛６３１の先端が像担持体に当接することから，押圧力を高くすることができる反面，接触面積が小さく，クリーニング性を高めるためには繊維密度を高くする必要がある。また，押圧力が高いと像担持体の表面磨耗を促進する。そこで，近年，図１２に示すように，ブラシ毛６３１をループ状に植設したループブラシの利用が検討されている。ループブラシは，直毛ブラシと比較して，接触面積が大きく，繊維密度を高くすることなくクリーニング性を高めることができる。また，高クリーニング性を有することから像担持体への押圧力を低くすることができ，ロングライフ化にも資する。
【特許文献１】特開平２−１０９０８４号公報
【特許文献２】特開平５−１８８８４２号公報
【発明の開示】
【発明が解決しようとする課題】
【０００７】
しかしながら，ループブラシを利用するクリーニング装置には，次のような問題が生じる。すなわち，ループブラシでは，掻き取ったトナー等をループの中に溜め込み易く，それらを吐き出すことが難しい。平板状のフリッカーでは，力が分散し易く，ブラシ毛を弾く効果が小さい。
【０００８】
また，図１３に示すように，クリーニングブラシ６３をフリッカー６９に接触させた状態でクリーニングブラシ６３の回転を停止すると，クリーニングブラシ６３のブラシ毛６３１がフリッカー６９に押圧され，毛倒れが生じる。そのため，トナー等の回収にムラが生じる。
【０００９】
本発明は，前記した従来のクリーニングブラシ等が有する問題点を解決するためになされたものである。すなわちその課題とするところは，トナー等の吐き出しを十分に行うことができるループブラシを備えたクリーニング装置を提供することにある。
【課題を解決するための手段】
【００１０】
この課題の解決を目的としてなされたクリーニング装置は，回転可能に設置され，ブラシ繊維がループ状に植設されたブラシ回転体と，ブラシ回転体と接触し，ブラシ回転体の付着物を除去する付着物除去部材とを有するクリーニング装置であって，付着物除去部材は，ブラシ繊維が直毛状に植設された直毛ブラシであることを特徴としている。
【００１１】
本発明のクリーニング装置は，ブラシ回転体を有し，付着物除去部材によってブラシ回転体に蓄積したトナー等の付着物を除去するものである。そして，ブラシ回転体のブラシ繊維はループ状に植設されている。ブラシ回転体としては，像担持体と接触し，像担持体上の付着物を除去するクリーニング部材や潤滑剤を供給するための潤滑剤供給部材が該当する。そして，付着物除去部材としては，ブラシ繊維が直毛状に植設された直毛ブラシを適用する。
【００１２】
ループブラシをなすブラシ回転体に直毛ブラシをなす付着物除去部材を当てることにより，直毛ブラシのブラシ毛がループブラシのブラシ毛が形成するループ部分の１つ１つに密に当接する。さらに，直毛ブラシのブラシ毛がループブラシの回転に伴って押圧され，両ブラシ毛が撓み，互いのブラシ毛を弾く。さらに，直毛ブラシのブラシ毛がループブラシの回転方向に連続して当接する。これにより，効率良くループブラシ内に蓄積された付着物を弾き出すことができる。
【００１３】
また，直毛ブラシのブラシ毛は，ループブラシのブラシ毛の隙間に入り込むように接触する。そのため，直毛ブラシである付着物除去部材は，ループブラシであるブラシ回転体のブラシ毛を曲げることはなく，毛倒れは殆ど生じない。
【００１４】
また，付着物除去部材は，ブラシ回転体に対して固定設置されていることとするとよりよい。付着物除去部材を固定配置すると，構造がシンプルであり，保守も容易である。一方，付着物除去部材は，回転可能に設置されていることとしてもよい。すなわち，付着物除去部材を回転体とすると，ブラシ回転体との接触位置が変化することから，耐久に有利である。さらに，付着物除去部材を回転体とした場合，当該付着物除去部材は所定のタイミングごとに所定の距離だけ回転することとするとよりよい。すなわち，適切なタイミングでブラシ回転体との接触位置を変えることでより付着物除去部材の長寿命化を図ることができる。
【００１５】
また，付着物除去部材は，振動可能に配置されていることとするとよりよい。すなわち，付着物除去部材が振動することで，特にブラシ回転体の回転方向だけではなく，ブラシ回転体の軸方向に振動することで，付着物除去部材のブラシ毛とブラシ回転体のブラシ毛とが擦り合う頻度が高くなる。よって，より効果的にブラシ回転体に付着した付着物を吐き出すことができる。
【発明の効果】
【００１６】
本発明によればトナー等の吐き出しを十分に行うことができるループブラシを備えたクリーニング装置が提供されている。
【発明を実施するための最良の形態】
【００１７】
以下，本発明にかかる画像形成装置を具体化した実施の形態について，添付図面を参照しつつ詳細に説明する。本形態は，電子写真方式のプリンタのクリーニング装置に本発明を適用したものである。
【００１８】
実施の形態の画像形成装置１００は，タンデム方式のカラープリンタであり，図１に示すように並列に配置された４つの画像形成ユニットを有するものである。具体的に，本形態の画像形成装置１００は，中間転写ベルト８に沿って４色の画像形成ユニット１Ｋ，１Ｃ，１Ｍ，１Ｙを配置している。また，中間転写ベルト８に囲まれたスペースに，中間転写ベルト８を挟んで各画像形成ユニットと対向する１次転写ローラ５を配置している。その他，画像形成装置１００は，露光装置７，２次転写ローラ５０，クリーニング装置６０，定着装置９等を備えている。各画像形成ユニットは，中間転写ベルト８上にトナー像を形成するものである。各画像形成ユニットは，画像形成ユニット１Ｋがブラック（Ｋ），画像形成ユニット１Ｃがシアン（Ｃ），画像形成ユニット１Ｍがマゼンタ（Ｍ），画像形成ユニット１Ｙがイエロー（Ｙ）の各色に対応し，中間転写ベルト８の回転方向（図１中の矢印方向）の上流側から１Ｙ，１Ｍ，１Ｃ，１Ｋの順に配置されている。また，本形態の画像形成装置１００では，各画像形成ユニットがそれぞれユニット化され，交換可能にされている。なお，各画像形成ユニットの配置は図１の順序に限定されるものではない。
【００１９】
また，画像形成ユニット１Ｋは，図２に示すように，回転ドラム型の電子写真感光体であり，負帯電性の有機光導電体（ＯＰＣ）である感光体ドラム２を有している。感光体ドラム２は，図２中の矢印方向に一定の速度で回転するようになっている。また，感光体ドラム２の周囲には，その回転方向に沿って，帯電装置３，現像装置４，クリーニング装置６が順次配置されている。なお，帯電装置３と現像装置４との間には，潜像が形成される露光エリアが設けられている。その他の画像形成ユニットについても同様の構成となっている。
【００２０】
続いて，本形態のカラープリンタ１００の画像形成動作について説明する。まず，帯電装置３の帯電バイアスにより，感光体ドラム２の表面が所望のマイナス電位に帯電される。次に，露光装置７が画像データによって変調されたレーザ光を感光体ドラム２上の露光エリアに照射することにより，露光エリアにて１ページ目の静電潜像が形成される。次に，現像装置４により，負帯電性のトナーによる現像が行われ，感光体ドラム２上に１ページ目のトナー像が形成される。次に，転写装置５により，１ページ目のトナー像が中間転写ベルト８上に転写される。すなわち，感光体ドラム２上のトナーは，転写装置５のプラスバイアスにより中間転写ベルト８に静電的に転写される。このとき，一部のトナーは，転写されずに感光体ドラム２上に残留し転写残トナーとなる。
【００２１】
転写残トナーは，クリーニング装置６によって感光体ドラム２上から掻き取られて回収される。具体的には，まず，感光体ドラム２の回転方向の上流側に位置するクリーニングブラシ６３によって回収され，クリーニングブラシ６３で回収できなかった転写残トナーおよびクリーニングブラシ６３から吐き出されたトナーが下流側に位置するクリーニングブレード６２によって掻き取られる。感光体ドラム２から掻き取られたトナーは，搬送スクリュー６４によって廃トナーボックス（不図示）に向けて搬送されて回収される。
【００２２】
このような動作を画像形成ユニットごとに繰り返し，中間転写ベルト８上にそれぞれの色のトナー画像を重ね合わせる。そして，４色のトナー像が重ね合わせられることにより，中間転写ベルト８上にフルカラー画像が形成される。このカラー画像が２次転写ローラ５０にて記録紙に転写される。そして，カラー画像は定着装置９にて加熱・加圧されて記録紙に定着される。その後，排出トレイに出力される。なお，中間転写ベルト８上に残留した転写残トナーは，クリーニング装置６０によって掻き取られて回収される。
【００２３】
続いて，クリーニング装置６について詳説する。クリーニング装置６は，図２に示したように，ハウジング６１内に，感光体ドラム２上のトナー等を掻き取るクリーニングブレード６２と，クリーニングブレード６２よりも感光体ドラム２の回転方向の上流側に位置し，感光体ドラム２上のトナー等をクリーニングブレード６２による除去に先立って除去するクリーニングブラシ６３と，掻き取ったトナー等を不図示の廃トナーボックスに搬送する搬送スクリュー６４と，クリーニングブラシ６３の軸方向に沿って並置され，クリーニングブラシ６３に接触してクリーニングブラシ６３内に蓄積されたトナー等を弾き出す直毛ブラシ６６とを有している。クリーニングブレード６２およびクリーニングブラシ６３は，その図中上部の一辺が感光体ドラム２に当接されている。また，クリーニングブラシ６３は，回転可能に配設された回転ブラシであり，感光体ドラム２の回転方向に対してカウンタ方向に回転する。クリーニングブラシ６３には，ハウジング６１に固定配置された直毛ブラシ６６が当接されており，クリーニングブラシ６３によって回収されたトナー等が直毛ブラシ６６によって吐き出される構成になっている。
【００２４】
クリーニングブラシ６３は，図３に示すように，基布にブラシ毛６３１がループ状に植えられたものがシャフト６３２の外周に巻き付けられて接着されたものである。また，クリーニングブラシ６３は，外径が１２ｍｍで，シャフト６３２の径が６ｍｍで，基布６３０の厚さが０．５ｍｍであり，ブラシ毛６３１の高さ（図３中の寸法ｄ）は２．５ｍｍである。
【００２５】
すなわち，ブラシ毛６３１は，両端部が固定されており，湾曲するループ部が感光体ドラム２と摺擦する。ブラシ毛６３１がループ状をなすことで，感光体ドラム２上のを囲い込むように捕捉することができる。つまり，直毛状のものと比較して感光体ドラム２との接触面積が大きい。よって，トナーの捕捉効率が高く，より多くのトナーの回収が可能になる。ブラシ毛６３１には，導電性ナイロン（ヤング率が１．７×１０9Ｎ／ｍ2）を使用している。また，この他の条件として，繊維太さは６．９ｄＴ（デシテックス）で，繊維密度は１５０ＫＦ／ｉｎｃｈ2 のものを使用した。なお，ブラシ毛６３１には，プラス極性のバイアスが印加され，転写残トナーの回収を容易にしている。なお，直毛ブラシ６６の硬度は，クリーニングブラシ６３と比較して同等以上であることが望ましい。
【００２６】
さらに，ブラシ毛６３１は，基布への２箇所の取り付け位置を結ぶ線分の方向（以下，「植毛方向」とする。図１２参照）がクリーニングブラシ６３の軸方向に対して平行となるように植設されている。なお，ここでいう平行は必ずしも厳密な平行を意味するものではない。すなわち，ブラシ毛６３１の植毛方向とクリーニングブラシ６３の軸方向との関係が直交であると，ループ部内でのトナーの捕捉ができず，ループ形状による掻き取り効果が生じない。一方で，当該関係が平行であると，その効果を最大限に発揮できる。つまり，植毛方向に，クリーニングブラシ６３の軸方向と平行となる方向の成分が多いほど掻き取り性がよい。具体的にブラシ毛６３１は，植毛方向がクリーニングブラシ６３の軸方向と４５度以下の角度で交われば効果が期待でき，より好ましくは３０度以下の角度となるように植設するとよい。
【００２７】
また，クリーニングブラシ６３と接触する直毛ブラシ６６は，図４に示すように，基台６６２にブラシ毛６６１が直毛状に植えられ，基台６６２がクリーニング装置６のハウジング６１に固定されている。さらに，ブラシ毛６６１の先端部がクリーニングブラシ６３のブラシ毛６３１のループ部に接触する位置に固定されている。これにより，クリーニングブラシ６３１が回転すると，ブラシ毛６３１のループ部が直毛ブラシのブラシ毛６６１によって弾かれる。これにより，クリーニングブラシ６３に付着したトナー等が弾き飛ばされるようになっている。
【００２８】
直毛ブラシ６６は，ブラシ毛６６１として，材質・繊維の特徴ともにクリーニングブラシ６３のブラシ毛６３１と同様のものを使用している。そして，ブラシ毛６６１の高さが２．５ｍｍで，クリーニングブラシ６３への食込み量が０．５ｍｍとしている。
【００２９】
直毛ブラシ６６のブラシ毛６６１は，クリーニングブラシ６３のブラシ毛６３１の隙間に入り込むように接触している。そのため，クリーニングブラシ６３が回転停止状態であってもそのブラシ毛６３１を曲げることはなく，両ブラシともに毛倒れは殆ど生じていない。
【００３０】
続いて，クリーニングブラシ６３のトナー等の吐き出し動作について詳説する。図４は，図２の奥行き方向の手前側から見たクリーニングブラシ６３と直毛ブラシ６６との接触状態を示している。図５は，図２の上下方向の上側から見たクリーニングブラシ６３と直毛ブラシ６６との接触状態を示している。
【００３１】
クリーニングブラシ６３（以下，吐き出し動作の説明では「ループブラシ６３」とする）に直毛ブラシ６６を当てると，図５に示すようにブラシ毛６３１のループの中に複数本のブラシ毛６６１が当たる。すなわち，直毛ブラシ６６のブラシ毛６６１がループブラシ６３のブラシ毛６６３の１つ１つのループの内側まで密に接触することになる。
【００３２】
図６は，ループブラシ６３と直毛ブラシ６６との挙動を示している。まず，ループブラシ６３が回転することによってループブラシ６３のブラシ毛６３１が直毛ブラシ６６のブラシ毛６６１を押圧する（ａ）。このとき，直毛ブラシ６６のブラシ毛６６１がループブラシ６３のブラシ毛６３１によって形成されるループの外側だけでなく内側にも摺接する。ループブラシ６３が回転を続けると，ループブラシ６３と直毛ブラシ６６の両ブラシ毛がループブラシ６３の押圧方向に撓む（ｂ）。そして，ループブラシ６３が直毛ブラシ６６から離れる際，ループブラシ６３のブラシ毛６３１と直毛ブラシ６６のブラシ毛６６１が互いに反発し合い，効果的に弾かれる（ｃ）。さらに，ループブラシ６３のブラシ毛６３１は，ループブラシ６３の回転方向に次々と直毛ブラシ６６のブラシ毛６６１が接触する。これにより，ループブラシ６３のブラシ毛６３１のループの内側に溜まったトナー１０までも弾き出せる。
【００３３】
なお，直毛ブラシ６６のブラシ毛６６１にも弾性があり，ループブラシ６３のブラシ毛６３１を弾くとともに自身も弾かれる。そのため，直毛ブラシ６６自身にトナー１０が溜まることもない。さらに，ループブラシ６３も直毛ブラシ６６もブラシ毛がフレキシブルに動作するのでトナー等の吐出効果とともに両ブラシ毛のほぐし効果も得られる。
【００３４】
一方，図７は，ループブラシ６３と平板状のフリッカー６５との接触状態を示している。ループブラシ６３にフリッカー６５を当てると，図７に示すようにブラシ毛６３１のループの側面にフリッカー６５が当たる。すなわち，フリッカー６５がループの内側まで接触することはない。
【００３５】
図８は，ループブラシ６３とフリッカー６５との挙動を示している。まず，ループブラシ６３が回転することによってループブラシ６３のブラシ毛６３１がフリッカー６５を押圧する（ａ）。このとき，ループブラシ６３のループ部は，軸方向に広がるように曲げられ，回転方向への押圧力が分散する。ループブラシ６３が回転を続けると，ループブラシ６３のブラシ毛６３１がフリッカー６９に沿って接触する（ｂ）（ｃ）。そして，ループブラシ６３がフリッカー６９から離れる際，ループブラシ６３のブラシ毛６３１が弾かれる（ｄ）。このとき，ループブラシ６３の回転方向への押圧力が分散されていることから，直毛ブラシ６６と比較して大きく弾かれない。また，直毛ブラシ６６のように互いに反発し合って弾かれることもない。そのため，ループブラシ６３を弾くことによる効果が小さい。また，直毛ブラシ６６のように連続してブラシ毛が接触することもない。従って，トナー等の吐出効果が小さい。
【００３６】
なお，フリッカー６５を多数枚設けることも考えられるが，コストアップや装置の大型化を招く。また，図９に示すように，フリッカー６５１に切欠き６５２を設けることも考えられるが，回転方向への押圧力が分散されるには変わりなく，ループブラシ６３を弾くことによる効果が小さい。加えて，切欠き６５２がループ部分を引っ掛け，ブラシ毛６３１が切断したり，抜毛したりするおそれがある。
【００３７】
また，本実施の形態では，トナーを吐出させる部材として固定配置された直毛ブラシ６６を利用している。固定配置の直毛ブラシ６６は，構造がシンプルであり，保守も容易である。一方，図１０に示すように，回転可能に配置された直毛ブラシローラ６７をクリーニングブラシ６３に当接させてもよい。回転方向はクリーニングブラシ６３に対してカウンタ方向であってもウイズ方向であってもよい。すなわち，直毛ブラシを回転体とすると，クリーニングブラシ６３との接触位置が変化することから，耐久に有利である。
【００３８】
また，直毛ブラシローラ６７とした場合，直毛ブラシローラ６７を一定条件の下で所定量回転する制御を行ってもよい。一定条件下でクリーニングブラシ６３との当接位置を変えることで，直毛ブラシローラ６７の耐久性をより高められる。
【００３９】
また，直毛ブラシ６６は，振動可能に配置されていてもよい。すなわち，直毛ブラシ６６が振動することで，特にクリーニングブラシ６３の回転方向だけではなく，クリーニングブラシ６３の軸方向に振動することで，直毛ブラシ６６のブラシ毛６６１とクリーニングブラシ６３のブラシ毛６３１とが擦り合う頻度が高くなる。よって，より効果的にクリーニングブラシ６３に付着した付着物を吐き出すことができる。直毛ブラシ６６を振動させる手段としては，直毛ブラシ６６を加振する手段を設けても良いし，直毛ブラシ６６のブラシ毛６６１に振動バイアスを印加してもよい。
【００４０】
［実施の形態の評価］
続いて，本形態のカラープリンタ１００の評価結果について説明する。本評価では，コニカミノルタ社製の「ｂｉｚｈｕｂ  Ｃ４５０」（以下，「評価機」とする）を利用し，クリーニングブラシと当接する付着物除去部材の構成を変えて評価を行った。
【００４１】
本評価では，プロセス速度が３５枚／分（Ａ４Ｙ）の評価機を用いて，温度が３０℃，湿度が８０％の実験環境下で，出力画像の画像濃度を８０％として，クリーニング性能の耐久評価を行った。すなわち，Ａ４Ｙサイズ紙で一枚間欠モードとし，通紙枚数が５０Ｋ枚，１００Ｋ枚，１５０Ｋ枚の段階でのクリーニングブラシ通過後の感光体ドラム上の汚れを評価した。そして，感光体ドラム上に汚れが確認されなければ「○」と，感光体ドラム上に汚れが確認されるが用紙上に汚れが確認されないのであれば「△」と，感光体ドラム上にも用紙上にも汚れが確認されれば「×」と判断した。確認はいずれも目視で行っている。
【００４２】
結果を表１に示す。
【表１】
2008262015.tif 000003
【００４３】
本評価の結果，板状のフリッカー（従来形態）では，１００Ｋ枚で感光体ドラム上に汚れが確認でき，１５０Ｋで用紙上にも汚れが確認された。一方，直毛ブラシ（本形態）では，１５０Ｋ枚を超えても汚れが確認されなかった。このことから，直毛ブラシの方がクリーニング性に優れていることがわかる。
【００４４】
以上詳細に説明したように本形態のクリーニング装置６は，回転可能に設けられたクリーニングブラシ６３を有し，直毛ブラシ６６によってクリーニングブラシ６３に蓄積したトナー等の付着物を除去するものであり，クリーニングブラシ６３のブラシ毛６３１はループ状に植毛されている。すなわち，ループブラシをなすクリーニングブラシ６３に直毛ブラシ６６を当てることにより，直毛ブラシ６６のブラシ毛６６１がクリーニングブラシ６３のブラシ毛６３１が形成するループ部分の１つ１つに密に当接することになる。さらに，直毛ブラシ６６のブラシ毛６６１がクリーニングブラシ６３の回転に伴って押圧され，両ブラシ毛６３１，６６１が撓み，互いのブラシ毛を弾く。さらに，直毛ブラシ６６のブラシ毛６６１がクリーニングブラシ６３の回転方向に連続して当接する。これにより，効率良くクリーニングブラシ６３のループ部に蓄積された付着物を弾き出すことができる。従って，トナー等の吐き出しを十分に行うことができるループブラシを備えたクリーニング装置が実現している。
【００４５】
また，直毛ブラシ６６のブラシ毛６６１は，ループブラシであるクリーニングブラシ６３のブラシ毛６３１の隙間に入り込むように接触する。そのため，直毛ブラシ６６は，クリーニングブラシ６３のブラシ毛６３１を曲げることはなく，毛倒れが抑制される。
【００４６】
なお，本実施の形態は単なる例示にすぎず，本発明を何ら限定するものではない。したがって本発明は当然に，その要旨を逸脱しない範囲内で種々の改良，変形が可能である。例えば，画像形成装置としては，プリンタ，複写機，スキャナ，ＦＡＸ等であって電子写真方式にて画像を形成するものであれば適用可能である。また，カラー画像を形成するものであってもモノクロ画像専用のものであってもよい。また，タンデム方式であっても４サイクル方式であってもよい。また，２次転写方式であっても直接転写方式であってもよい。
【００４７】
また，本実施の形態では，感光体ドラム上の転写残トナーを回収するクリーニング装置に本発明を適用しているが，これに限るものではない。すなわち，中間転写ベルト上の転写残トナーを回収するクリーニング装置に本発明を適用してもよい。
【００４８】
また，本実施の形態では，ブラシ繊維として導電性ナイロンを用いたが，これに限るものではない。例えば，レーヨン，アクリル，ポリエステル，または金属繊維であってもよい。また，絶縁性の繊維であってもよい。
【００４９】
また，実施の形態では，感光体ドラム上のトナーを除去するクリーニングブラシに本発明を適用しているが，これに限るものではない。例えば，クリーニングブレードや感光体ドラムの磨耗を抑制するために潤滑剤を塗布する部材として回転ブラシが利用される。この回転ブラシの付着物除去部材として本発明の直毛ブラシを適用してもよい。
【図面の簡単な説明】
【００５０】
【図１】実施の形態にかかる画像形成装置の構成を示す概略図である。
【図２】実施の形態にかかる画像形成ユニットの構成を示す概略図である。
【図３】クリーニングブラシと感光体ドラムとの位置関係を示す図である。
【図４】クリーニングブラシと直毛ブラシとの位置関係（軸方向視）を示す図である。
【図５】ループブラシと直毛ブラシとの接触状態（上面視）を示す図である。
【図６】ループブラシと直毛ブラシとの挙動を示す図である。
【図７】ループブラシとフリッカー（平板状）との接触状態を示す図である。
【図８】ループブラシとフリッカーとの挙動を示す図である。
【図９】ループブラシとフリッカー（切欠き付）との接触状態を示す図である。
【図１０】直毛ブラシローラをクリーニングブラシに当接させた状態を示す図である。
【図１１】直毛ブラシの植毛状態を示す概略図である。
【図１２】ループブラシの植毛状態を示す概略図である。
【図１３】クリーニングブラシとフリッカーとの位置関係を示す図である。
【符号の説明】
【００５１】
１Ｋ    画像形成ユニット
２      感光体ドラム
６      クリーニング装置
６２    クリーニングブレード
６３    クリーニングブラシ（ブラシ回転体）
６５    フリッカー
６６    直毛ブラシ（付着物除去部材）
１００  画像形成装置
【図１】
2008262015.tif 000004
【図２】
2008262015.tif 000005
【図３】
2008262015.tif 000006
【図４】
2008262015.tif 000007
【図５】
2008262015.tif 000008
【図６】
2008262015.tif 000009
【図７】
2008262015.tif 000010
【図８】
2008262015.tif 000011
【図９】
2008262015.tif 000012
【図１０】
2008262015.tif 000013
【図１１】
2008262015.tif 000014
【図１２】
2008262015.tif 000015
【図１３】
2008262015.tif 000016